(57)【要約】      （修正有）【課題】装着時に不快感のないよう甲部後縁が凹凸のない略弧形であり、十分な通気性が確保され、完全に扁平な状態にすることができ、容易に着用できる携帯用スリッパを提供する。【解決手段】スリッパを上下二つのシートで構成する。上シート５０には、引き上げることにより甲部を形成することができるように、爪先側に略弧形の切り込み４１を互い違いに多数入れる。この上シート５０と、切り込みのない下シート６０の縁をはり合わせて構成したことを特徴とする。【選択図】図３
0003158036.tif 000002
【実用新案登録請求の範囲】
【請求項１】
爪先部に略弧形の切り込み４１を互い違いに多数入れ、最後部切り込み４１ａは左右の側辺近くまで伸びる最も長い切り込みとした、切り込みを入れた爪先部を引き上げることにより甲部４０を形成する略楕円形の上シート５０と、切り込みのない略楕円形の下シート６０とを、互いの縁をはり合わせたことを特徴とする、繰り返して使用できる扁平な携帯用スリッパ。
【考案の詳細な説明】
【技術分野】
【０００１】
本考案は、繰り返して使用できる、扁平な携帯用スリッパに関する。
【背景技術】
【０００２】
考案に関わるスリッパの部位の名称を示すために、背景技術を図１と図２を用いて説明する。従来スリッパは、足裏を乗せる底部１０と、足の甲を覆う甲部２０によりなる。歩行時の蹴り足（後ろ側の足）において、足の挿入口となる甲部後縁２１は、連結している底部１０を引き上げる役割を果たす。（図２を参照）。そのため、歩行時に強い張力が働くことから、甲部後縁２１には、十分な強度が要求されていた。また、甲部後縁２１は、人体の足の甲と強く密着するため、その形状は凹凸のない略弧形であることが要求された。さらに、着用が容易であるよう、甲部後縁２１は常に開口状態にあるか、またはすぐに開口状態に移行できることが要求された。
【先行技術文献】
【特許文献】
【０００３】
【特許文献１】特開平７−５１１０１
【特許文献２】特開２００１−１２８７０３
【特許文献３】特開２００４−２５５１３７
【特許文献４】実用新案登録第３０６８５８６
【考案の概要】
【考案が解決しようとする課題】
【０００４】
繰り返し使う携帯用スリッパにおいて、甲部後縁２１には十分な強度が要求されるため、甲部２０を完全に扁平な状態まで格納することが困難であった。また、人体の足の甲のうち、装着時に甲部２０よって覆われる部分は通気性を欠いた。これらの欠点を補うべく、特開平７−５１１０１、特開２００１−１２８７０３
、特開２００４−２５５１３７、実用新案登録第３０６８５８６などの考案がなされた。しかし、それぞれに欠点があった。
【０００５】
特開平７−５１１０１は、甲部２０を折りたたんでも、十分に扁平になりうるように、極めて薄い甲部２０を用いており、使い捨てスリッパとしてはすぐれている。しかし、繰り返して使用するのに耐えうるほどの強度をもった素材を甲部後縁２１に与えれば、折り返しの部分でかさ張り、完全な扁平にはならない。また、人体の足の甲のうち、甲部２０よって覆われる部分は通気性が確保されない。
【０００６】
特開２００１−１２８７０３
は、甲部２０を展開することで、扁平な状態を得ることができる。しかし、扁平な状態に展開することで、面積が広がり場所をとることになる。また、これも人体の足の甲のうち、甲部２０よって覆われる部分の通気性は確保されない。
【０００７】
特開２００４−２５５１３７は、甲部後縁２１が開口状態にないが、切り込みの入った甲部後縁２１を用いており、これを引き延ばすことで、足が挿入できる。さらに、装着時に甲部２０よって覆われる部分に通気性が確保される。しかし、甲部後縁２１を引き延ばした際、人体の足の甲と強く密着する甲部後縁２１に、切り込みによる凹凸が生じ、不快である。
【０００８】
実用新案登録第３０６８５８６は、装着時に甲部２０よって覆われる部分にも通気性が確保され、甲部２０も扁平な状態に格納できる。しかし、甲部後縁２１に相当する部分が独立しており、この部分だけ突出した状態となり、全体としては扁平な状態にはならない。また、足の挿入口が容易に開口した状態とはならず、両手で足の挿入口を広げて履かなければならず、不便である。
【０００９】
本考案は、これらの欠点を補い、装着時に不快感のないように甲部後縁２１が凹凸のない略弧形とし、甲部２０よって覆われる部分に通気性が確保され、完全に扁平な状態にすることができ、容易に着用できる携帯用スリッパを提供することを目的とする。
【課題を解決するための手段】
【００１０】
スリッパを上下二つの略楕円形のシートで構成する。上シート５０には、斜め後方に引き上げることにより甲部４０を形成することができるように、爪先側に略弧形の切り込み４１を互い違いに多数入れる。最後部切り込み４１ａは左右の側辺近くまで伸びる最も長い切り込みとする。本考案は、上記のような切り込みのある上シート５０と、切り込みのない下シート６０の縁をはり合わせて構成したことを特徴とする、繰り返し使用できる、扁平な携帯用スリッパである。
【考案の効果】
【００１１】
本考案は、着用時において、甲部後縁４２の人体の足の甲との接触部が凹凸のない略弧形であるため、不快感がない。装着時には甲部４０は切り込み４１が押し広げられ網状になるため、通気性が確保される。持ち運ぶときには、甲部４０を前方に倒せば、完全に扁平な状態に格納される。履くときには、甲部後縁中央４２ａをつまみあげれば、すぐに引き起こされて足の挿入口となり、容易に履くことができる。
【図面の簡単な説明】
【００１２】
【図１】従来のスリッパの参考斜視図である。
【図２】従来のスリッパの参考側面図である。点線が透視による人体の爪先を表す。
【図３】本考案の構成を示した斜視図である。
【図４】本考案、使用時の斜視図である。
【図５】本考案、使用時の正面図である。
【図６】本考案、使用時の背面図である。
【図７】本考案、使用時の平面図である。左側が爪先側である。
【図８】本考案、使用時の側面図である。
【図９】本考案、底面図である。
【図１０】本考案、甲部４０格納時の平面図である。左側が爪先側である。
【図１１】本考案、甲部４０格納時の側面図である。
【図１２】本考案、甲部４０格納時の正面図である。
【図１３】本考案、甲部４０格納時の斜視図である。
【考案を実施するための形態】
【００１３】
スリッパを上下二つの扁平で十分に柔軟な略楕円形の樹脂シートで構成する。
上シート５０には、爪先側に略弧形の切り込み４１を互い違いに多数入れ、最後部切り込み４１ａは左右の側辺近くまで伸びる最も長い切り込みとする。この際、甲部後縁４２が十分な強度を得るように、最後部切り込み４１ａと隣り合う他の切り込み４１との間隔を開けておく。
下シート６０には切り込みを入れない。
こうしてできた上下のシートの縁を縫い合わせる。この構造により、上シート５０のうち切り込みを入れた爪先側が扁平に格納可能な甲部４０となり、上シート５０の踵側と下シート６０の全体が底部３０となる。
【符号の説明】
【００１４】
１０      底部
２０      甲部
２１      甲部後縁
３０      底部
４０      甲部
４１      切り込み
４１ａ    最後部切り込み
４２      甲部後縁
４２ａ    甲部後縁中央
５０      上シート
６０      下シート
８０      人体の足
【図１】
0003158036.tif 000003
【図２】
0003158036.tif 000004
【図３】
0003158036.tif 000005
【図４】
0003158036.tif 000006
【図５】
0003158036.tif 000007
【図６】
0003158036.tif 000008
【図７】
0003158036.tif 000009
【図８】
0003158036.tif 000010
【図９】
0003158036.tif 000011
【図１０】
0003158036.tif 000012
【図１１】
0003158036.tif 000013
【図１２】
0003158036.tif 000014
【図１３】
0003158036.tif 000015